(57)【要約】【課題】  そのまま排便することを可能とすること。【解決手段】  この排便補助具１００は、一般人の平均的な肛門の周囲に相当する大きさ以上の楕円形をした環状体または筒状体であり、上下方向に開放された筒穴を有する。その上端部には、前後左右の位置にそれぞれ山形状の突起0003136531.tif 000004との骨格が違うため、この排便補助具１００の使用状態において秀遺骨部側となるほうを高く、性器部側となるほうを低くしてある。側部の突起３，４は左右で同じ高さである。この突起１〜４が肛門の内肛門括約筋Ｇに刺激を与える。便意をもよおした場合、筒穴を通じてそのまま排便できる。【選択図】図１
0003136531.tif 000002
【実用新案登録請求の範囲】
【請求項１】
環状体または筒状体であって且つ上下方向に開放された筒穴を有すると共に、その上端部に複数の突起が設けられ、当該突起は、前記筒穴を肛門に対して位置させたとき肛門周囲に対して位置するよう設けられたことを特徴とする排便補助具。
【請求項２】
更に、前記突起は、使用状態で前後左右となる位置に設けられ、且つ、後部の突起が前部の突起より高いことを特徴とする請求項１に記載の排便補助具。
【請求項３】
前記環状体または筒状体は全体として楕円形状であることを特徴とする請求項１または２に記載の排便補助具。
【請求項４】
上部に座面を有すると共に便座に渡して支持されるブリッジ体を有し、このブリッジ体の略中央に上下貫通した穴を設け、この穴と前記筒穴とが連続するように請求項１〜３のいずれかひとつに記載の排便補助具を設けたことを特徴とする排便補助装置。
【請求項５】
前記排便補助具の下端にテーパ部を設け、且つ、ブリッジ体の穴の周縁にも前記排便補助具のテーパ部に対応するテーパ部を設け、両テーパ面同士を当接させて排便補助具をブリッジ体に取り付けることを特長とする請求項４に記載の排便補助装置。
【請求項６】
ブリッジ体の角の全部若しくは一部、および／または、穴の下周縁にアール部を設けることを特長とする請求項４又は５に記載の排便補助装置。
【請求項７】
上部に座面を有すると共に略中央に上下貫通した穴を有し、便座に渡して支持されるブリッジ体と、前記穴の上端部であって前記穴を肛門に対して位置させたとき肛門周囲に対して位置するよう設けられた複数の突起と、
を備えたことを特徴とする排便補助装置。
【考案の詳細な説明】
【技術分野】
【０００１】  本考案は、便秘解消に用いる排便補助具に関するものである。
【背景技術】
【０００２】  従来から便秘を解消するための排便補助の器具として、実用新案登録第３１３２１９８号公報に記載のものが知られている。この器具は、板状の本体の上に直腸下部を刺激するための先端が半球状となった突起を４つ備えている。
【特許文献１】  実用新案登録第３１３２１９８号公報
【考案の開示】
【考案が解決しようとする課題】
【０００３】  しかしながら、上記従来の排便補助器具は、排便補助器具を使用したまま排便することができなかった。また、便が付着した場合に突起と本体との付け根部分等をきれいに洗浄するのが大変であった。【０００４】  そこで、この考案は、便が付着しても洗浄し易く、使用方法によってはそのまま排便できる排便補助具および排便補助装置を提供することを目的とする。
【課題を解決するための手段】
【０００５】  上記課題を解決するために、この考案の排便補助具は、環状体または筒状体であって且つ上下方向に開放された筒穴を有すると共に、その上端部に複数の突起が設けられ、当該突起は、前記筒穴を肛門に対して位置させたとき肛門周囲に対して位置するよう設けられたことを特徴とする。【０００６】  また、この考案の排便補助具は、上記構成において、前記突起は、使用状態で前後左右となる位置に設けられ、且つ、後部の突起が前部の突起より高いことを特徴とする。【０００７】  また、この考案の排便補助具は、上記構成において、前記環状体または筒状体は全体として楕円形状であることを特徴とする。【０００８】  また、この考案の排便補助装置は、上部に座面を有すると共に便座に渡して支持されるブリッジ体を有し、このブリッジ体の略中央に上下貫通した穴を設け、この穴と前記筒穴とが連続するように上記の排便補助具を設けたことを特徴とする。【０００９】  また、この考案の排便補助装置は、上記構成において、前記排便補助具の下端にテーパ部を設け、且つ、ブリッジ体の穴の周縁にも前記排便補助具のテーパ部に対応するテーパ部を設け、両テーパ面同士を当接させて排便補助具をブリッジ体に取り付けることを特長とする。【００１０】  また、この考案の排便補助装置は、上記構成において、ブリッジ体の角の全部若しくは一部、および／または、穴の下周縁にアール部を設けることを特長とする。【００１１】  また、この考案の排便補助装置は、上部に座面を有すると共に略中央に上下貫通した穴を有し、便座に渡して支持されるブリッジ体と、前記穴の上端部であって前記穴を肛門に対して位置させたとき肛門周囲に対して位置するよう設けられた複数の突起と、を備えたことを特徴とする。
【考案の効果】
【００１２】  突起により内肛門括約筋が刺激され、便意をもよおす。その際、筒穴や穴を通じて排便できる。また、ブリッジ体と排便補助具との取り付け部分をテーパ面とし、ブリッジ体の角等にアールをつけることで、付着した便を洗浄し易くできる。
【考案を実施するための最良の形態】
【００１３】  図１は、この考案の実施の形態１にかかる排便補助具を示す斜視図である。図２は、その排便補助具の平面図、図３は長手方向の側面図、図４は長手方向に直交方向の側面図、図５は長手方向のＡ−Ａ断面図、図６は長手方向に直交方向のＢ−Ｂ断面図である。この排便補助具１００は、一般人の平均的な肛門の周囲に相当する大きさ以上の楕円形をした環状体または筒状体であり、上下方向に開放されている（以下、便宜上「筒穴」という）。その上端部には、前後左右の位置にそれぞれ山形状の突起１，２，３，４が略均等に４つ設けられて
0003136531.tif 000003
０の使用状態において秀遺骨部側となる突起２を高く、性器部側となる突起１を低くしてある（長手方向の前部突起１よりも後部突起２が高くなっている）。長手方向の大きさは、例えば３ｃｍ以上６ｃｍ以下である。長手方向に直交方向の大きさは、例えば２ｃｍ以上５ｃｍ以下である。【００１４】  なお、側部（長手方向の直交方向）の突起３，４は左右で同じ高さである。各突起１〜４の山形状の頂部は、力が一点に集中しすぎないように平坦になる。突起１〜４の先端内側は、縁取りされ所定の曲率が与えられている。この排便補助具１００は、セラミックス、樹脂、ゴム等の材料を用いて一体成型する。また、全体の大きさは、男性、女性、子供等のユーザに合わせて適宜決定し得る。なお、排便補助具１００を全体的に楕円形状としたのは、角をなくすことで付着した便を洗浄しやすくするためであり、また、お尻の谷間にフィットし易いためである。【００１５】  また、図１乃至図６に示した例では排便補助具１００を楕円筒状としたが、上下方向が開放され且つ前記突起１〜４が上記位置に設けられていれば、楕円筒状でなくともよい。例えば、全体に菱形又は長方形で、中央が上下に開放され且つ前後左右に上記のような突起１〜４が設けられていてもよい（いずれも図示省略）。この場合も、角には大きめのアールを設けるのが好ましい。【００１６】  図７は、排便補助具を装着するブリッジ体を示す平面図、図８は、その断面図である。このブリッジ体１０は、角棒形状であり、その長さは一般的な便器の幅よりも大きくなるようにする。図９は、このブリッジ体１０を便器５０に装着した状態を示す説明図である。このブリッジ体１０は、便座５１の上に乗せて便器５０の幅方向に橋をかけるように設置し、その両端にて便座５１に支持される。また、ブリッジ体１０の両端縁には、下方に向かってストッパー１１が突出し、便器５０にブリッジ体１０を設置したときに左右にずれてブリッジ体１９の端部が便器５０内に落ちないようにしている。【００１７】  また、ブリッジ体１０の中央には凹部１２が設けられ、この凹部１２の中心には前記排便補助具１００の上下方向に開放されている筒穴５と同じ大きさの楕円形状の穴１３が上下貫通して設けられる。ブリッジ体１０に対する排便補助具１００の取り付けは、ブリッジ体１０の穴１３の周縁に若干のくぼみを設け、そのくぼみに排便補助具１００の下端がはまり込むようにするようにしてもよい（図示省略）。また、ブリッジ体１０の穴１３の周縁の排便補助具の下端に合わせて突起を設けてもよい（図示省略）。その他、位置決めのための周知の構造を採用できる。【００１８】  また、突起やくぼみの場合、角の洗浄が難しくなるため、図１０に示すように、排便補助具１００の下端にテーパ部１４を設け、且つ、ブリッジ体１０の穴１３の周縁にも当該テーパ部１４に対応するテーパ部１５を設け、排便補助具１００の取り付け時に両テーパ面１４，１５同士が当接し合って当該排便補助具１００の位置決めがされるようにしてもよい。このようにすれば、角がなくなるから、便が付着しても洗浄しやすいものとなる。同じく、ブリッジ体１０の凹部１２の角、及び、穴１３の下周縁に大きなアール部１７，１８，１９を設けるように��れば、全体として角がなくなるから、より洗浄しやすいものとなる。このアール部１７，１８，１９は、５ｍｍ以上とするのが好ましい。【００１９】  ブリッジ体１０の凹部１２の両側上面は座面１６となる。また、前記凹部１２の深さは、排便補助具１００を設置した状態でその突起１〜４が座面１６よりも高い位置になるように決定する。このブリッジ部１０は、上記同様にセラミックス、樹脂、金属、ゴムのいずれの材料を用いて成型してもよい。また、和式便器用に、ブリッジ体１０の両端に足をつけてもよい（図示省略）。【００２０】  次に、この排便補助具１００の使用方法について説明する。図１１および図１２は、この排便補助具の使用状態を示す説明図である。肛門Ｃの周囲には、内肛門括約筋Ｇと外肛門括約筋Ｈとがある。符号Ｂは便である。内肛門括約筋Ｇは、常に肛門Ｃを一定の力で締めている筋肉であり、自律神経により支配される不随意筋（自分の意思では緩めたり締めたりできない筋肉）である。外肛門括約筋Ｈは、内肛門括約筋Ｇを取り囲む随意筋である。【００２１】  ユーザは、ブリッジ体１０を便器５０の便座５１に対して渡す（図９参照）。そのとき、ブリッジ体１０のストッパー１１が便座５１の両外側に出て当該ブリッジ体１０が左右（長手方向）に移動しないことを確認する。次に、排便補助具１００をブリッジ体１０の凹部１２の所定位置に装着する。この状態で、排便補助具１００の筒穴５と凹部１２の穴１３とが連続して、全体として上下に穴が貫通した状態となる。【００２２】  続いて、ブリッジ体１０の座面１６に半座りし、図１２に示すように、排便補助具１００の突起１〜４がユーザの肛門Ｃの周囲に位置するように体を動かして調整する。そして、最適な位置（筒穴が肛門に対する位置）になったと感じたとき、しっかり座る。そうすると、排便補助具１００の突起１〜４が肛門周囲に対して位置するから、この突起１〜４が肛門の内肛門括約筋Ｇに対して圧力を加え、この内肛門括約筋Ｇが刺激を受ける。この刺激によって便意をもよおした場合、ユーザは、そのまま排便できる。即ち、排便補助具１００が楕円環状でありブリッジ体１０にも同形状の穴１３が設けられて全体として貫通状態にあるから、便は、そのまま排便補助具１００の中心を通って便器５０内に落ちる。【００２３】  また、使用後は排便補助具１００およびブリッジ体１０を便座５１からはずして洗浄する。なお、全体として肛門Ｃの位置に穴が貫通しているから、シャワートイレで下方から洗浄することもできる。なお、このブリッジ体１０は、角棒形状としたが、便座５１に渡すことができ且つ前記凹部１２を有していれば、どのような形状でもよい。例えば、便器５０の蓋のような形状であってもよい（図示省略）。【００２４】  なお、排便補助具１００単体でも使用可能である。例えば、排便補助具１００を椅子の座面に置き、上記要領で突起１〜４が肛門の周囲に位置するように調整して座る。便意をもよおしたら、トイレに行って排便する。また、トイレのふたに穴を開けて、その穴と排便補助具１００の筒穴５とが合うように当該排便補助具１００を置き、前記同様に使用する。この場合は、便意をもようしたときそのまま排便できる。【００２５】  また、上記排便補助具１００は、ブリッジ体１０と一体成型してもよい。
【図面の簡単な説明】
【００２６】
【図１】  この考案の実施の形態１にかかる排便補助具を示す斜視図である。
【図２】  図１に示した排便補助具の平面図である。
【図３】  図１に示した排便補助具の長手方向の側面図である。
【図４】  図１に示した排便補助具の長手方向に直交方向の側面図である。
【図５】  図１に示した排便補助具の長手方向の断面図である。
【図６】  図１に示した排便補助具の長手方向に直交方向の断面図である。
【図７】  排便補助具を装着するブリッジ体を示す平面図である。
【図８】  排便補助具を装着するブリッジ体を示す断面図である。
【図９】  ブリッジ体を便器に装着した状態を示す説明図である。
【図１０】  ブリッジ体の変形例を示す断面図である。
【図１１】  排便補助具の使用状態を示す説明図である。
【図１２】  排便補助具の使用状態を示す説明図である。
【符号の説明】
【００２７】１００  排便補助具
１〜４  突起
５  筒穴
１０  ブリッジ体
１３  穴
【図１】
0003136531.tif 000005
【図２】
0003136531.tif 000006
【図３】
0003136531.tif 000007
【図４】
0003136531.tif 000008
【図５】
0003136531.tif 000009
【図６】
0003136531.tif 000010
【図７】
0003136531.tif 000011
【図８】
0003136531.tif 000012
【図９】
0003136531.tif 000013
【図１０】
0003136531.tif 000014
【図１１】
0003136531.tif 000015
【図１２】
0003136531.tif 000016